(57)【要約】【課題】導電性ブレードを回動させる際の不快な擦れ音の発生と、回動感触が不快なものとなるのを低減することができるプラグ取付装置及びＡＣアダプタを提供する。【解決手段】一対の導電性ブレード３０ａ、３０ｂを備えたプラグ組立体３の端子面には、回動軸Ｒを中心としたリング状であり、端子面から僅かに突出した第１リング状部材３１が備えられ、係合面には、回動軸Ｒを中心としたリング状であり、係合部材４に係合するための複数の係合溝を有するリング状係合部材３５と、突出量がリング状係合部材３５よりも少ない第２リング状部材３４とが備えられる。また、ケース２はプラグ組立体３を保持するための内壁を有し、この内壁には、プラグ組立体３の第１リング状部材３１に当接する第１段差部２２と、プラグ組立体３の第２リング状部材３４に当接する第２段差部２３とが備えられている。【選択図】図４
2010108675.tif 000002
【特許請求の範囲】
【請求項１】
ＡＣ電源に接続するための一対の導電性ブレードと、該導電性ブレードの一部をモールドし、複数の係合溝が形成されたプラグ本体とを有するプラグ組立体と、
前記係合溝に係合するための係合突起を有する係合部材と、
前記プラグ組立体を所定の回動軸回りに回動可能に保持するとともに、前記係合溝のいずれかと前記係合突起とが係合し得る状態で前記係合部材を保持するケースと
を備え、
前記プラグ組立体を回動させ、前記係合突起と前記係合溝のいずれかを係合させることにより、前記導電性ブレードを、前記ケース内に収容した状態と前記ケースから突出して前記ＡＣ電源に接続可能な状態とに位置決めできるよう構成されたプラグ取付装置であって、
前記プラグ本体は前記回動軸が伸びる方向を面法線とする、互いに平行な端子面と係合面とを有し、
前記端子面には、前記回動軸を中心としたリング状であり、前記端子面から僅かに突出した第１リング状部材が備えられ、
前記係合面には、前記回動軸を中心としたリング状であり、前記係合突起と当接する先端部に前記複数の係合溝を有するリング状係合部材が備えられ、
前記ケースには、前記回動軸が伸びる方向への前記第１リング状部材の移動を規制する第１軸方向規制面と、前記回動軸回りの径方向への前記第１リング状部材の移動を規制する第１径方向規制面とからなる第１段差部が備えられていることを特徴とするプラグ取付装置。
【請求項２】
前記係合面には、前記回動軸を中心としたリング状であり、前記係合面からの突出量が前記リング状係合部材の突出量よりも少なく、外径が前記リング状係合部材の外径よりも大きい第２リング状部材がさらに備えられ、
前記ケースには、前記回動軸が伸びる方向への前記第２リング状部材の移動を規制する第２軸方向規制面と、前記回動軸回りの径方向への前記第２リング状部材の移動を規制する第２径方向規制面とからなる第２段差部とがさらに備えられていることを特徴とする請求項１に記載のプラグ取付装置。
【請求項３】
前記係合部材は枠体であり、
前記係合突起は、前記枠体を構成する各辺部に形成されていることを特徴とする請求項１または２に記載のプラグ取付装置。
【請求項４】
請求項１ないし３のいずれかに記載のプラグ取付装置と同一構成のプラグ取付部と、
ＡＣ電圧をＤＣ電圧に変換するＡＣ／ＤＣコンバータ部と
を同一ケース内に備えたことを特徴とするＡＣアダプタ。
【発明の詳細な説明】
【技術分野】
【０００１】
本発明は、導電性ブレードを、ケースに収容した状態と該ケースから突出してＡＣ電源に接続可能な状態とに位置決めすることができるプラグ取付装置及び該プラグ取付装置と同一構成のプラグ取付部を備えたＡＣアダプタに関する。
【背景技術】
【０００２】
図６に示すように、ＡＣアダプタ１’には、ケース２’から突出可能な一対の導電性ブレード３０ａ、３０ｂが備えられている。そして、この導電性ブレード３０ａ、３０ｂを壁等に設置されたコンセントに差し込むことにより、コンセントから出力されるＡＣ電圧を適当なＤＣ電圧に変換することができる。
【０００３】
図７は、従来のＡＣアダプタ１’の内部に備えられているプラグ組立体３’及び係合部材４’である。この図に示すように、プラグ組立体３’の係合面３ｂ’には半径方向等間隔に係合溝３６’が形成された係合部材３５’が備えられ、端子面３ａ’には導電性ブレード３０ａ、３０ｂに接続された一対の端子（不図示）が備えられている。また、係合部材４’には、プラグ組立体３’の係合溝３６’に係合する係合突起４０’が形成されている（例えば、特許文献１参照）。
【０００４】
図８に示すように、ケース２’内において、プラグ組立体３’は回動軸Ｒを中心に９０°回動自在に保持される。また、係合部材４’は、係合突起４０’がいずれかの係合溝３６’に係合し得る状態で同ケース２’内に保持される。これにより、導電性ブレード３０ａ、３０ｂ（プラグ組立体３’）を回動させる際に、確実に位置決めをすることができるようになっている。
【特許文献１】実用新案登録第３０６３９６７号公報
【発明の開示】
【発明が解決しようとする課題】
【０００５】
しかしながら、上記従来のＡＣアダプタ１’では、導電性ブレード３０ａ、３０ｂを回動させる際に、係合突起４０’によって、プラグ組立体３’がケース２’の内壁に押し付けられる。そして、プラグ組立体３’と内壁とが擦れ合うことにより、不快な擦れ音が発生するとともに、回動させる際の感触（以下、“回動感触”という）が不快なものとなっていた。
【０００６】
そこで、本発明は、上記不快な擦れ音の発生と、回動感触が不快なものとなるのを低減することができるＡＣアダプタを提供することを課題とする。
【課題を解決するための手段】
【０００７】
上記課題を解決するために、本発明に係るプラグ取付装置は、ＡＣ電源に接続するための一対の導電性ブレードと、該導電性ブレードの一部をモールドし、複数の係合溝が形成されたプラグ本体とを有するプラグ組立体と、前記係合溝に係合するための係合突起を有する係合部材と、前記プラグ組立体を所定の回動軸回りに回動可能に保持するとともに、前記係合溝のいずれかと前記係合突起とが係合し得る状態で前記係合部材を保持するケースとを備え、前記プラグ組立体を回動させ、前記係合突起と前記係合溝のいずれかを係合させることにより、前記導電性ブレードを、前記ケース内に収容した状態と前記ケースから突出して前記ＡＣ電源に接続可能な状態とに位置決めできるよう構成されたプラグ取付装置であって、前記プラグ本体は前記回動軸が伸びる方向を面法線とする、互いに平行な端子面と係合面とを有し、前記端子面には、前記回動軸を中心としたリング状であり、前記端子面から僅かに突出した第１リング状部材が備えられ、前記係合面には、前記回動軸を中心としたリング状であり、前記係合突起と当接する先端部に前記複数の係合溝を有するリング状係合部材が備えられ、前記ケースには、前記回動軸が伸びる方向への前記第１リング状部材の移動を規制する第１軸方向規制面と、前記回動軸回りの径方向への前記第１リング状部材の移動を規制する第１径方向規制面とからなる第１段差部が備えられていることを特徴とする。
【０００８】
上記プラグ取付装置、及び該装置をプラグ取付部として備えたＡＣアダプタによれば、プラグ組立体を回動させる際に、係合部材に設けられた係合突起によって、プラグ本体の端子面側がプラグ本体を回動可能に保持するケースに回動軸方向に押し付けられることになる。しかしながら、プラグ本体の端子面には、該端子面から僅かに突出した第１リング状部材が設けられる一方、ケースには、回動軸が伸びる方向への第１リング状部材の移動を規制する第１軸方向規制面と、回動軸回りの径方向への第１リング状部材の移動を規制する第１径方向規制面とからなる第１段差部が設けられている。このため、プラグ本体とケースとは、第１リング状部材と第１段差部のみにおいて当接しており、接触面積を最小限に抑えるとともに、接触部位が特定位置に限定されるので、プラグ組立体を回動させた際の不快な擦れ音の発生や、回動感触の不快感を低減することができる。
【０００９】
好ましくは、上記プラグ取付装置の前記係合面には、前記回動軸を中心としたリング状であり、前記係合面からの突出量が前記リング状係合部材の突出量よりも少なく、外径が前記リング状係合部材の外径よりも大きい第２リング状部材がさらに備えられ、前記ケースには、前記回動軸が伸びる方向への前記第２リング状部材の移動を規制する第２軸方向規制面と、前記回動軸回りの径方向への前記第２リング状部材の移動を規制する第２径方向規制面とからなる第２段差部とがさらに備えられている。
【００１０】
上記プラグ取付装置、及び該装置をプラグ取付部として備えたＡＣアダプタによれば、係合面側におけるプラグ本体とケースとの接触が、第２リング状部材と第２段差部との接触のみとなり、接触部位がさらに限定されるので、擦れ音や回動感触をさらに改善することができる。
【００１１】
さらに好ましくは、前記係合部材は枠体であり、前記係合突起は、前記枠体を構成する各辺部に形成されている。
【００１２】
上記プラグ取付装置、及び該装置をプラグ取付部として備えたＡＣアダプタによれば、リング状係合部との係合に寄与しない係合部材の中央部分がくり貫かれているので、係合部材の形成に必要となる樹脂量を削減することができる。これにより、プラグ取付装置及びＡＣアダプタの低コスト化と軽量化を図ることができる。
【発明の効果】
【００１３】
本発明によれば、導電性ブレードを回動させる際の不快な擦れ音の発生と、回動感触が不快なものとなるのを低減することができるプラグ取付装置及びＡＣアダプタを提供することができる。
【発明を実施するための最良の形態】
【００１４】
以下、添付図面を参照して、本発明に係るプラグ取付装置の好ましい実施形態について説明する。なお、本明細書では、「プラグ取付装置」のうち、同一のケース内にＡＣ／ＤＣコンバータ部とプラグ取付部とが設けられたものを特に「ＡＣアダプタ」と称し、以下では、この「ＡＣアダプタ」の好ましい実施形態について説明する。
【００１５】
図１に、本発明に係るＡＣアダプタの透視斜視図を示す。
この図に示すように、ＡＣアダプタ１は、不図示のＡＣ電源に接続するための一対の導電性ブレード３０ａ、３０ｂと、該導電性ブレード３０ａ、３０ｂの一部を樹脂モールドし、複数の係合溝が形成されたプラグ本体ＰＢとを有するプラグ組立体３と、係合突起を有する係合部材４と、プラグ組立体３を回動軸Ｒ回りに回動可能に保持するとともに、係合溝のいずれかと係合突起とが係合し得る状態で係合部材４を保持するケース２とを備えている。そして、回動軸Ｒを中心にプラグ組立体３を回動させて、係合突起を別の係合溝に係合させることにより、導電性ブレード３０ａ、３０ｂを、ケース２内に収容した状態とケース２から突出してＡＣ電源に接続可能な状態とに位置決めできるようになっている。
【００１６】
ケース２は、一組のケース半体２０、２１から構成される。ケース半体２０と２１とは、ケース半体２０の所定位置にプラグ組立体３と係合部材４とが配置された後に組み合わされる。なお、ケース２には、上記プラグ組立体３及び係合部材４の他にも、ＡＣ電圧をＤＣ電圧に変換するためのＡＣ／ＤＣコンバータ部（図示せず）、及び導電性接触子（図示せず）も収容される。導電性接触子は、導電性ブレード３０ａ、３０ｂがケース２から突出した状態にあるとき、端子保持部材３２に沿って配置された一対の端子（ブレード接点部）３３ａ、３３ｂと弾力的に接触する。また、ＡＣ／ＤＣコンバータ部は、導電性接触子及び端子３３ａ、３３ｂを介して、導電性ブレード３０ａ、３０ｂ及び不図示のＡＣ電源に電気的に接続される。
【００１７】
図２は、ＡＣアダプタ１に備えられているプラグ組立体３及び係合部材４であり、図２（Ａ）はこれらを端子面３ａ側から見た斜視図、図２（Ｂ）は係合面３ｂ側から見た斜視図である。ここで、端子面３ａ及び係合面３ｂは、いずれもプラグ本体ＰＢ上にある、回動軸Ｒに直交する面である。より具体的には、端子面３ａ及び係合面３ｂは、回動軸Ｒが伸びる方向を面法線とする、互いに平行な面である。
【００１８】
図２（Ａ）を参照して、プラグ組立体３の端子面３ａには、回動軸Ｒを中心としたリング状を有し、端子面３ａから僅かに（本実施形態では、約１ｍｍ）突出した第１リング状部材３１が備えられ、その中心（リング状部材の中空部）には第１リング状部材３１よりも突出（端子面３ａから離間）した端子保持部材３２が備えられている。端子保持部材３２の溝部分には回動軸Ｒ方向に沿って一対の端子３３ａ、３３ｂが端子保持部材３２を中心として対極に部分的に埋め込まれており、端子３３ａは導電性ブレード３０ａに、端子３３ｂは導電性ブレード３０ｂにそれぞれ接続されている。端子３３ａ、３３ｂの先端部は、端子保持部材３２の端面から突出しないように構成されており、一対の端子３３ａ、３３ｂ間の距離が近接しても絶縁体である端子保持部材３２が一対の端子３３ａ、３３ｂ間に介装されているため、十分な絶縁性を確保することができる。端子３３ａ、３３ｂは、導電性ブレード３０ａ、３０ｂをケース２から突出させた場合にのみ、一対の端子３３ａ、３３ｂとケース２内に設けられた導電性接触子とが接触し、前記ＡＣ／ＤＣコンバータ部に接続される。
【００１９】
次に、図２（Ｂ）を参照して、プラグ組立体３の係合面３ｂには、回動軸Ｒを中心としたリング状を有し、係合面３ｂから僅かに（本実施形態では、約１ｍｍ）突出した第２リング状部材３４と、回動軸Ｒを中心としたリング状を有し、係合部材４に形成された係合突起（後述）と当接する先端部に半径方向等間隔に複数の係合溝３６が形成されたリング状係合部材３５とが備えられている。一例として、本実施形態では４５°間隔で計８個の係合溝３６が形成されている。この図に示すように、リング状係合部材３５の突出量（本実施形態では、約３ｍｍ）は第２リング状部材３４の突出量よりも大きい。また、第２リング状部材３４の外径はリング状係合部材３５の外径よりも大きい。
【００２０】
本実施形態では、第２リング状部材３４の内径とリング状係合部材３５の外径とが等しくなっているが、リング状係合部材３５の外径は、第２リング状部材３４の外径を超えない範囲で任意に変更することができる。すなわち、係合面３ｂに第２リング状部材３４の外周面及び端面（係合面３ｂと平行な面であって、第２リング状部材３４の外縁とリング状係合部材３５の根元部分とで挟まれた円環状部位）による段差が形成されさえすればよい。また、プラグ本体３は、端子３３ａ、３３ｂを除き、絶縁性樹脂で一体成型される単一の部材としてもよい。
【００２１】
続いて、図２（Ａ）及び（Ｂ）を参照して、弾性樹脂からなる係合部材４はロの字状を有し、その対向する辺部の中央に一対の係合突起４０が形成されている。係合突起４０は、プラグ組立体３の係合溝３６と係合し得るような大きさに形成され、一対の係合突起４０がいずれかの係合溝３６と係合することにより、プラグ組立体３（導電性ブレード３０ａ、３０ｂ）の位置決めが可能となっている。すなわち、この実施形態によれば、リング状係合部材３５の先端部に４５°間隔で計８個の係合溝３６が形成されているので、ケース２内に導電性ブレード３０ａ、３０ｂを収容した状態（収容状態）、収容状態から回動軸Ｒ回りにプラグ組立体３が４５°回転した状態、及び収容状態から回動軸Ｒ回りにプラグ組立体３が９０°回転した状態（導電性ブレード３０ａ、３０ｂがケース２から突出してＡＣ電源に接続可能な状態）で、係合溝３６と係合突起４０とが係合し、プラグ組立体３の位置固定が可能となっている。
【００２２】
なお、本実施形態では、係合部材４の形状を、リング状係合部材３５との係合に寄与しない中央部分をくり貫いたロの字状としたが、例えば平板状のような他の形状に変更してもよい。ただし、弾性樹脂量の削減と、これに伴う低コスト化及び軽量化の観点から、係合部材４は図２に示すようなロの字状にするのが好ましい。また、ロの字状係合部材の対向する辺部の中央付近に係合突起４０をそれぞれ設けることで、当該辺部に加えられた応力が、係合突起４０が形成されていない辺部によって適度に分散され、スムーズな回動感触を得ることができる。また、スムーズな回動感触を得る観点からは、係合突起４０の形状は、曲面または角をとって丸く加工された外形ラインから構成することが好ましい。
【００２３】
図３は、ケース２を構成するケース半体２０、２１の斜視図である。前記の通り、ケース半体２０とケース半体２１とは、ケース半体２０の所定位置にプラグ組立体３と係合部材４とが配置された後に組み合わされる。また、ケース半体２０、２１の内壁には、それぞれ、プラグ組立体３の第１リング状部材３１に係合する第１段差部２２と、第２リング状部材３４に係合する第２段差部２３とが形成されている。第１段差部２２は、回動軸Ｒが伸びる方向への第１リング状部材３１の移動を規制する第１軸方向規制面２２ａと、回動軸Ｒ回りの径方向への第１リング状部材３１の移動を規制する第１径方向規制面２２ｂとからなる。一方、第２段差部２３は、回動軸Ｒが伸びる方向への第２リング状部材３４の移動を規制する第２軸方向規制面２３ａと、回動軸Ｒ回りの径方向への第２リング状部材３４の移動を規制する第２径方向規制面２３ｂとからなる。
【００２４】
図４に示すように、プラグ組立体３及び係合部材４はケース２の内壁によって保持されている。より詳しくは、端子面３ａ側において、プラグ組立体３の第１リング状部材３１とケース２の第１段差部２２とが当接し（Ａ部、図５（Ａ）参照）、さらに係合面３ｂ側において、プラグ組立体３の第２リング状部材３４とケース２の第２段差部２３とが当接し（Ｂ部、図５（Ｂ）参照）、これにより、プラグ組立体３はケース２内において回動可能に保持される。
【００２５】
本発明に係るＡＣアダプタにおいて、導電性ブレード３０ａ、３０ｂを突出／収容するべくプラグ組立体３を回動させると、係合突起４０によって、プラグ組立体３全体が係合部材４から遠ざかる方向に押される。しかしながら、プラグ本体ＰＢの端子面３ａには、端子面３ａから僅かに突出した第１リング状部材３１が設けられる一方、ケース２には、第１軸方向規制面２２ａと第１径方向規制面２２ｂとからなる第１段差部２２が設けられている。このため、プラグ本体ＰＢとケース２とは、第１リング状部材３１と第１段差部２２のみにおいて当接しており、端子面３ａとケース２とが擦れ合いながら回転するのが防止される。これにより、プラグ本体ＰＢとケース２との接触面積を最小限に抑えるとともに、接触部位が特定位置に限定されるので、プラグ組立体３を回動させた際の不快な擦れ音の発生や、回動感触の不快感を低減することができる。
【００２６】
また、この実施形態では、プラグ本体ＰＢの係合面３ｂには、係合面３ｂからの突出量がリング状係合部材３５の突出量よりも少なく、外径がリング状係合部材３５の外径よりも大きい第２リング状部材３４が設けられる一方、ケース２には、第２軸方向規制面２３ａと第２径方向規制面２３ｂとからなる第２段差部２３が設けられている。このため、プラグ本体ＰＢとケース２とは、第２リング状部材３４と第２段差部２３のみにおいて当接しており、係合面３ｂとケース２とが擦れ合いながら回転するのが防止される。これにより、プラグ本体ＰＢとケース２との接触部位がさらに限定されるので、不快な擦れ音の発生や回動感触の不快感をさらに低減することができる。
【００２７】
なお、図１〜図５を参照して説明してきた実施形態では、プラグ本体ＰＢの端子面３ａと係合面３ｂにそれぞれ第１リング状部材３１と第２リング状部材３４を設けたが、このうち、不快な擦れ音の発生が許容できる範囲内であれば、第２リング状部材３４は省略することができる。不快な擦れ音が発生する主な要因は、プラグ本体ＰＢの端子面３ａ側とケース２の内壁とが強く擦れ合うことにあるからである。
【００２８】
また、上記実施形態では、係合部材４をロの字状にしたが、係合部材４の形状はこれに限定されず、円環状であってもよい。要は係合部材４を枠体とし、枠体を構成する各辺部に係合突起を形成するように構成しても、係合部材４の形成に必要となる樹脂量を削減し、ＡＣアダプタの低コスト化と軽量化を図ることができる。
【００２９】
また、プラグ本体ＰＢを単一の絶縁性部材（樹脂材料）で構成してもよいが、耐摩耗性及び摺れ音の発生の防止の観点から、ケース２との当接部位である、第１リング状部材３１及び／または第２リング状部材３４については、専用の別個の材質で形成するようにしてもよい。このように、専用の材質を用いたとしても、使用範囲は第１リング状部材３１及び／または第２リング状部材３４の特定部位に限定されるので、耐摩耗性の向上及び摺れ音の発生を効果的に低減しながらも、コスト上昇を抑制することができる。このような材質としては、樹脂の硬さ、難燃性、絶縁性、耐熱性を考慮して選択され、例えばＰＢＴ（ポリブチレンテレフタレート）が好適に用いられる。
【００３０】
また、上記実施形態では、同一ケース内にＡＣ／ＤＣコンバータ部とプラグ取付部とを設けているが、これに限定されず、ケース内にプラグ取付部を設ける一方、ケースとは別個にＡＣ／ＤＣコンバータ部を設けてもよい。
【図面の簡単な説明】
【００３１】
【図１】本発明に係るＡＣアダプタの透視斜視図である。
【図２】本発明に係るＡＣアダプタに備えられたプラグ組立体と係合部材の斜視図であって、（Ａ）は端子面側から見た斜視図、（Ｂ）は係合面側から見た斜視図である。
【図３】本発明に係るＡＣアダプタに備えられたケースの斜視図であって、（Ａ）（Ｂ）はそれぞれケースを構成するケース半体の斜視図である。
【図４】本発明に係るＡＣアダプタの分解平面図（一部は断面図）である。
【図５】図４に示すＡＣアダプタの断面図であって、（Ａ）はＡ部の拡大断面図、（Ｂ）はＢ部の拡大断面図である。
【図６】ＡＣアダプタの使用状態を示す斜視図である。
【図７】従来のＡＣアダプタのプラグ組立体と係合板の斜視図である。
【図８】従来のＡＣアダプタの断面図である。
【符号の説明】
【００３２】
１      ＡＣアダプタ（プラグ取付装置）
２      ケース
３      プラグ組立体
３ａ    端子面
３ｂ    係合面
４      係合部材
２０    ケース半体
２１    ケース半体
２２    第１段差部
２２ａ  第１軸方向規制面
２２ｂ  第１径方向規制面
２３    第２段差部
２３ａ  第２軸方向規制面
２３ｂ  第２径方向規制面
３０ａ  導電性ブレード
３０ｂ  導電性ブレード
３１    第１リング状部材
３２    端子保持部材
３３ａ  端子
３３ｂ  端子
３４    第２リング状部材
３５    リング状係合部材
３６    係合溝
４０    係合突起
ＰＢ    プラグ本体
【図１】
2010108675.tif 000003
【図２】
2010108675.tif 000004
【図３】
2010108675.tif 000005
【図４】
2010108675.tif 000006
【図５】
2010108675.tif 000007
【図６】
2010108675.tif 000008
【図７】
2010108675.tif 000009
【図８】
2010108675.tif 000010